【手続補正書】
【提出日】平成16年12月8日(2004.12.8)
【手続補正１】
【補正対象書類名】明細書
【補正対象項目名】特許請求の範囲
【補正方法】変更
【補正の内容】
【特許請求の範囲】
【請求項１】
式（１）：
【化１】
1998182584.tif 000001
［式中、
Ｒ1は、水素又はメチルであり、
ｘは、０又は１の数であり、
Ｂは、フェニレン若しくはＣ７−Ｃ12アラルキレン（これらのそれぞれは、非置換であるか、又はＣ1−Ｃ4アルキル若しくはＣ1−Ｃ4アルコキシで置換されている）又は式（２）：
【化２】
1998182584.tif 000002
［式中、Ｂ1は、直鎖又は分岐鎖のＣ2−Ｃ12アルキレン（これらは、中断されていないか、又は１個若しくは２個以上の酸素原子で中断されている）である］で示される基である］
で示されるエチレン性不飽和イソシアナートを製造するための方法であって、
式（３）：
【化３】
1998182584.tif 000003
［式中、
Ｒ2は、Ｃ1−Ｃ4アルキル又はフェニル（これは、非置換であるか、又はＣ1−Ｃ4アルキル、Ｃ1−Ｃ4アルコキシ若しくはハロゲンにより置換されている）であり、
変数：Ｒ1、Ｂ及びｘは、上記と同意義である］
で示されるエチレン性不飽和ウレタンを、シリル化剤の助けにより、式（５）：
【化４】
1998182584.tif 000004
（式中、
Ｒ3、Ｒ3′及びＲ3″は、それぞれ，他と独立して、Ｃ1−Ｃ4アルキルであり、
変数：Ｒ1、Ｒ2、Ｂ及びｘは、上記と同意義である）
で示されるエチレン性不飽和Ｎ−シリル−ウレタンへ変換し、次いで，その化合物を、７０〜１２０℃の温度で、式（１）で示されるエチレン性不飽和イソシアナートへ変換することを特徴とする方法。
【請求項２】
ｘが、数１である、請求項１記載の方法。
【請求項３】
ｘが、数１であり、Ｂが、請求項１の式（２）で示される基である、請求項１又は２記載の方法。
【請求項４】
Ｂ1が、直鎖又は分岐鎖のＣ2−Ｃ8アルキレン、好適には直鎖Ｃ2−Ｃ4アルキレンである、請求項１乃至３のいずれか１項記載の方法。
【請求項５】
Ｒ2が、Ｃ1−Ｃ2アルキル又はフェニル（これは、非置換であるか、又はメチル、メトキシ若しくはクロロにより置換されている）、好適にはエチル又はフェニルである、請求項１乃至４のいずれか１項記載の方法。
【請求項６】
シリル化剤が、アルキルシリルハライド、アルキルシリルアミン、ヘキサアルキル−ジシラザン又はＮ−シリルアセトアミドである、請求項１乃至５のいずれか１項記載の方法。
【請求項７】
シリル化剤が、式（４ａ）、（４ｂ）、（４ｃ）、（４ｄ）又は（４ｅ）：
【化５】
1998182584.tif 000005
（式中、
Ｘは、ハロゲンであり、
Ｒ3、Ｒ3′及びＲ3″は、それぞれ、他と独立して、Ｃ1−Ｃ4アルキルであり、
Ｒ4及びＲ4′は、それぞれ、他と独立して、水素又はＣ1−Ｃ4アルキルであり、
Ｒ5は、Ｃ1−Ｃ4アルキルである）
で示される化合物である、請求項１乃至６のいずれか１項記載の方法。
【請求項８】
シリル化剤が、トリメチルシリルクロリド、ヘキサメチルジシラザン、Ｎ−トリメチルシリル−Ｎ，Ｎ−ジエチルアミン、Ｎ，Ｏ−ビス（トリメチルシリル）アセトアミド若しくはＮ−トリメチルシリル−Ｎ−メチルアセトアミド、又はトリメチルシリルクロリドとヘキサメチルジシラザンの混合物である、請求項１乃至７のいずれか１項記載の方法。
【請求項９】
エチレン性不飽和ウレタンのシリル化を、保護ガス雰囲気下、非プロトン性有機溶媒中、１５〜５０℃の温度で行う、請求項１乃至８のいずれか１項記載の方法。
【請求項１０】
エチレン性不飽和Ｎ−シリル−ウレタンを、精製せずに、直接に、エチレン性不飽和イソシアナートに熱的に変換する、請求項１乃至９のいずれか１項記載の方法。
【請求項１１】
エチレン性不飽和イソシアナートを形成させるための、エチレン性不飽和Ｎ−シリル−ウレタンの熱分解を、保護ガス雰囲気下、非プロトン性有機溶媒中で行う、請求項１乃至１０のいずれか１項記載の方法。
【請求項１２】
式（１）［ここで、ｘは、数１であり、Ｂは、式（２）（ここで、Ｂ1は、直鎖又は分岐鎖のＣ2−Ｃ8アルキレンである）で示される基であり、Ｒ1は、水素又はメチルである］で示される化合物を製造するための方法であって、
式（３）（ここで、Ｒ2はエチル又はフェニルであり、Ｒ1、Ｂ及びｘは、上記と同意義である）で示される化合物を、アルキルシリルハライド、アルキルシリルアミン、ヘキサアルキル−ジシラザン及びＮ−シリルアセトアミドよりなる群から選択されるシリル化剤と反応させて、式（５）で示される化合物を形成させ、次いで、この化合物を、精製せずに、直接に、７０〜１２０℃の温度で熱分解に付すことを特徴とする、請求項１記載の方法。
【請求項１３】
Ｒ2が、フェニルであり、そして熱分解を、８０〜１００℃の温度で行う、請求項１２記載の方法。
【請求項１４】
式（１ａ）：
【化６】
1998182584.tif 000006
［式中、
Ｒ1は、水素又はメチルであり、
Ｂ1は、直鎖又は分岐鎖のＣ2−Ｃ12アルキレン（これは、中断されていないか、又は１個若しくは２個以上の酸素原子で中断されている）である］
で示される化合物を製造する方法であって、
（ａ）式（６ａ）：
【化７】
1998182584.tif 000007
（式中、
Ｒ1及びＢ1は、それぞれ、上記と同意義である）
で示される化合物又はその酸付加塩を、式（７）：
【化８】
1998182584.tif 000008
［式中、
Ｘは、ハロゲンであり、
Ｒ2は、Ｃ1−Ｃ4アルキル又はフェニル（これは、非置換であるか、又はＣ1−Ｃ4アルキル、Ｃ1−Ｃ4アルコキシ若しくはハロゲンで置換されている）である］
で示されるハロギ酸エステルと反応させて、式（３ａ）：
【化９】
1998182584.tif 000009
(式中、
Ｒ1、Ｒ2及びＢ1は、それぞれ、上記と同意義である）
で示される化合物を形成させ、
（ｂ）（ａ）により得られるウレタン化合物を、シリル化剤の助けにより、式（５ａ）：
【化１０】
1998182584.tif 000010
（式中、
Ｒ3、Ｒ3′及びＲ3″は、それぞれ、他と独立して、Ｃ1−Ｃ4アルキルであり、
変数：Ｒ1、Ｒ2及びＢ1は、上記と同意義である）
で示される化合物へ変換し、次いで
（ｃ）（ｂ）により得られるＮ−シリルウレタン化合物を、７０〜１２０℃の温度での熱分解により、式（１ａ）で示される化合物へ変換することを特徴とする方法。
【請求項１５】
式（１ａ）：
【化１１】
1998182584.tif 000011
［式中、
Ｒ1は、水素又はメチルであり、
Ｂ1は、直鎖又は分岐鎖のＣ2−Ｃ12アルキレン（これは、中断されていないか、又は１個若しくは２個以上の酸素原子で中断されている）である］
で示される化合物を製造する方法であって、
（ａ）式（８）：
【化１２】
1998182584.tif 000012
（式中、
Ｒ1は、上記と同意義であり、
Ｘは、ハロゲンである）
で示される化合物を、式（９）：
【化１３】
1998182584.tif 000013
［式中、
Ｒ2は、Ｃ1−Ｃ4アルキル又はフェニル（これは、非置換であるか、又はＣ1−Ｃ4アルキル、Ｃ1−Ｃ4アルコキシ若しくはハロゲンで置換されている）であり、
Ｂ1は、上記と同意義である］
で示される化合物と反応させて、式（３ａ）：
【化１４】
1998182584.tif 000014
(式中、
Ｒ1、Ｒ2及びＢ1は、それぞれ、上記と同意義である）
で示される化合物を形成させ、
（ｂ）（ａ）により得られるウレタン化合物を、シリル化剤の助けにより、式（５ａ）：
【化１５】
1998182584.tif 000015
（式中、
Ｒ3、Ｒ3′及びＲ3″は、それぞれ，他と独立して、Ｃ1−Ｃ4アルキルであり、
変数：Ｒ1、Ｒ2及びＢ1は、上記と同意義である）
で示される化合物へ変換し、次いで
（ｃ）（ｂ）により得られるＮ−シリルウレタン化合物を、７０〜１２０℃の温度での熱分解により、式（１ａ）で示される化合物へ変換することを特徴とする方法。